(57)【特許請求の範囲】
【請求項１】
折り曲げ可能で弾性復元力を有する弾性体シートで構成されたグリップ部と、該グリップ部の一方の面に設けられたアーチ状のバンド部とを備え、
前記グリップ部の手の差込方向に直交する中心線に対して手の差込方向前方にオフセットした位置に前記バンド部を前記中心線に沿って略平行に配置し、
前記グリップ部の前記中心線に対して手の差込方向後方にオフセットした位置の外周に切欠きを形成し、
前記グリップ部と前記バンド部との間に形成された隙間に手を差し込んで前記グリップ部を折り曲げ、この折り曲げられた前記グリップ部によって対象物を掴んでこれを把持することを特徴とする衛生グリップ。
【請求項２】
前記グリップ部は、円形シートとして構成され、該グリップ部に前記バンド部の両端が取り付けられていることを特徴とする請求項１に記載の衛生グリップ。
【請求項３】
前記グリップ部と前記バンド部とは別体に構成され、前記バンド部の両端は、締結具によって前記グリップ部に締結されていることを特徴とする請求項１又は２に記載の衛生グリップ。
【発明の詳細な説明】
【技術分野】
【０００１】
本発明は、人の手が対象物に直接触れることなく該対象物を掴んでこれを把持することができる衛生グリップに関する。
【背景技術】
【０００２】
例えば、電車やバスなどの車内に備え付けられているつり革は、不特定多数の人が利用するために衛生的であるとは言い難く、このつり革に手が直接触れることに嫌悪感やストレスを感じる人も多い。
【０００３】
そこで、例えば、特許文献１には、簡易着脱式の携帯用つり革が提案されている。この携帯用つり革は、ユーザーが携帯し、必要なときには該携帯用つり革に設けられた着脱部を電車などの車内に備え付けられているつり革用パイプに掛けることによって使用される。
【０００４】
また、特許文献２には、電車などの車内に備え付けられているつり革に対して着脱されるつり革補助具が提案されている。このつり革用補助具は、可撓性を有する素材によって構成された一対の把持部と、これらの把持部を繋ぎ合わせる連結部とを有しており、各把持部には握り用穴部が形成されている。
【先行技術文献】
【特許文献】
【０００５】
【特許文献１】特開２００５−０６７５７３号公報
【特許文献２】実用新案登録第３２２６６４２号公報
【発明の概要】
【発明が解決しようとする課題】
【０００６】
特許文献１において提案された携帯用つり革や特許文献２において提案されたつり革補助具は、何れもユーザーの手がつり革に直接触れることがないために衛生的ではあるが、これらを例えば鞄に入れて持ち運ぶ場合、鞄内が嵩み、容易且つ気軽に携帯することができないという問題がある。特に、特許文献１において提案された携帯用つり革は、大型で重いため、その持ち運びは容易ではない。
【０００７】
本発明は、上記問題に鑑みてなされたもので、その目的は、小型・軽量で携帯に便利であって、対象物に直接手を触れることなく該対象物を掴んでこれを把持することができる衛生グリップを提供することにある。
【課題を解決するための手段】
【０００８】
上記目的を達成するため、本発明に係る衛生グリップ（１）は、折り曲げ可能で弾性復元力を有する弾性体シートで構成されたグリップ部（２）と、該グリップ部（２）の一方の面（２ａ）に設けられたアーチ状のバンド部（３）とを備え、前記グリップ部（２）と前記バンド部（３）との間に形成された隙間（Ｓ）に手（Ｈ）を差し込んで前記グリップ部（２）を折り曲げ、この折り曲げられた前記グリップ部（２）によって対象物（１０）を掴んでこれを把持することを特徴とする。
【０００９】
本発明によれば、衛生グリップは、片手で扱える程度に小さくて軽量な弾性体シートから成るグリップ部と、該グリップ部に設けられたベルト部とによって構成されているため、携帯に便利であって、例えば、鞄などに嵩ばることなく収容して便利に持ち運ぶことができる。
【００１０】
また、当該衛生グリップの使用に際しては、グリップ部とバンド部との間に形成された隙間に手を差し込んでグリップ部を折り曲げ、この折り曲げられたグリップ部によって対象物を挟んでこれを掴むことができるため、対象物にユーザーの手が直接触れることがなくて非常に衛生的である。そして、使用後は、該衛生グリップの対象部を掴んだグリップ部の面を洗浄または消毒することによって、当該衛生グリップを何度でも繰り返して使用することができるために経済的である。
【００１１】
ここで、前記グリップ部（２）の手（Ｈ）の差込方向に直交する中心線（ＣＬ）に対して手（Ｈ）の差込方向前方にオフセットした位置に前記バンド部（３）を前記中心線（ＣＬ）に沿って略平行に配置しても良い。また、前記グリップ部（２）の前記中心線（ＣＬ）に対して手の差込方向後方にオフセットした位置の外周に切欠き（２ｄ）を形成しても良い。
【００１２】
上記構成を採用することによって、使用後の衛生グリップのグリップ部を中心線を境として２つ折りに折り畳み、手からバンド部を外してこれをグリップ部の切欠きに掛ければ、使用後の衛生グリップをコンパクトに小さく折り畳むことができる。このため、コンパクトに折り畳まれた衛生グリップを鞄などに収納しても、これが嵩ばることがなく、当該衛生グリップの携帯性が高められ、その持ち運びが便利になる。ここで、バンド部と切欠きは、グリップ部の中心線に対して手の差込方向に互いに逆方向にオフセットした位置に設けられているため、両者は所定の距離だけ離れた位置に配置される。この結果、衛生グリップの使用後に折り畳まれたグリップ部の切欠きにバンド部をこれを張った状態で掛けることができる。
【００１３】
さらに、前記グリップ部（２）は、円形シートとして構成され、該グリップ部（２）に前記バンド部（３）の両端が取り付けられていても良い。
【００１４】
上記構成によれば、衛生グリップの円形シート状のグリップ部をユーザーの手のひら内で扱うことができ、その小型・コンパクト化と取扱性の向上が図られる。
【００１５】
さらに、前記グリップ部（２）と前記バンド部（３）とは別体に構成され、前記バンド部（３）の両端は、締結具（４）によって前記グリップ部（２）に締結されていても良い。
【００１６】
上記構成によれば、衛生グリップを構成するグリップ部とバンド部をそれらの機能に適した材質、例えば、グリップ部をウレタンフォーム、ベルト部を軟質樹脂によって構成することができる。また、これらのグリップ部とベルト部とを別々に製作することによって、当該衛生グリップの生産性を高めて製造コストを下げることもできる。
【発明の効果】
【００１７】
本発明によれば、小型・軽量で携帯に便利であって、対象物に直接手を触れることなく該対象物を掴んでこれを把持することができる衛生グリップを提供することができる。
【図面の簡単な説明】
【００１８】
【図１】本発明に係る衛生グリップの正面図である。
【図２】本発明に係る衛生グリップの平面図（図１の矢視Ａ方向の図）である。
【図３】（ａ）は図１のＢ部拡大断面図、（ｂ）は図１のＢ部拡大分解断面図である。
【図４】本発明に係る衛生グリップ部のグリップ部とバンド部との間の隙間に手を差し込んだ状態を示す平面図である。
【図５】本発明に係る衛生グリップ部のグリップ部とバンド部との間の隙間に手を差し込んだ状態を示す斜視図である。
【図６】本発明に係る衛生グリップによって対象物を掴んでこれを把持した状態を示す斜視図である。
【図７】本発明に係る衛生グリップの使用を終えてこれのグリップ部を折り畳む前の状態を示す斜視図である。
【図８】本発明に係る衛生グリップの使用を終えてこれのグリップ部を折り畳んだ状態を示す斜視図である。
【図９】本発明に係る衛生グリップの使用を終えて折り畳まれたグリップ部の切欠きにベルト部を掛けた状態を示す斜視図である。
【図１０】本発明に係る衛生グリップの携帯時の状態を示す斜視図である。
【発明を実施するための形態】
【００１９】
以下に本発明の実施の形態を添付図面に基づいて説明する。
【００２０】
図１は本発明に係る衛生グリップの正面図、図２は同衛生グリップの平面図（図１の矢視Ａ方向の図）、図３（ａ）は図１のＢ部拡大断面図、図３（ｂ）は図１のＢ部拡大分解断面図である。
【００２１】
本実施の形態に係る衛生グリップ１は、図１及び図２に示すように、折り曲げ可能で弾性復元力を有する円形の弾性体シートで構成されたグリップ部２と、該グリップ部２の一方の面（以下、「裏面」と称する）２ａに設けられたアーチ状のバンド部３とを備えている。なお、本実施の形態では、衛生グリップ１のサイズとして、子供用のＳサイズと、女性用のＭサイズ及び成人男性用のＬサイズの３種類が容易されており、Ｓサイズは、グリップ部２の直径φＤ（図１参照）が９ｃｍ、Ｍサイズは１０ｃｍ、Ｌサイズは１１ｃｍにそれぞれ設定されている。また、本実施の形態では、グリップ部２とバンド部３とは別部材として別体に構成されており、グリップ部２は、厚さｔ（図２参照）が３ｍｍのウレタンフォームから成る円形シートとして構成されており、バンド部３は、撓曲可能で柔軟な軟質樹脂を３Ｄプリンタを用いてアーチ状に成形することによって構成されている。
【００２２】
ところで、本実施の形態に係る衛生グリップ１は、後述のように（図４〜図６参照）、ユーザーがグリップ部２とバンド部３との間の隙間（空間）Ｓ（図２参照）に手（片手）Ｈ（図４〜図６参照）を差し込んでグリップ部２を折り曲げ、この折り曲げられたグリップ部２によってつり革のリング（把手）などの対象物１０（図６参照）を掴んでこれを把持するものであるが、具体的には以下のように構成されている。
【００２３】
すなわち、図１に示すように、グリップ部２の手Ｈの差込方向（図１の垂直上方）に直交する水平な中心線ＣＬに対して手Ｈの差込方向前方（図１の上方）に所定量ε１だけオフセットした位置にバンド部３が中心線ＣＬに沿って（水平線Ｌ１に沿って）略平行に配置されている。ここで、バンド部３の左右両端部には、図２に示すように、幅広の取付部３Ａがそれぞれ形成されており、バンド部３は、その左右の各取付部３Ａが図３に示すように締結具である樹脂製のリベット４によってグリップ部２の裏面２ａの外周部付近にそれぞれ取り付けられている。
【００２４】
より詳細には、図３（ｂ）に示すように、バンド部３の各取付部３Ａ（図３には一方のみ図示）には、リベット４の頭部４ａの形状に沿う鍵状の差込穴３ａがそれぞれ形成されており、グリップ部２の左右（差込穴３ａに対応する箇所）には円孔２ｃがそれぞれ形成されている。このような状態において、バンド部３の各取付部３Ａをグリップ部２の裏面２ａ（図３（ｂ）の上面）に当てて差込穴３ａと円孔２ｃとを合わせ、リベット４の頭部４ａをグリップ部２の円孔２ｃに通し、該頭部４ａをバンド部３の各取付部３Ａに形成された差込穴３ａに圧入することによって、図３（ａ）に示すように、バンド部３の左右の各取付部３Ａがグリップ部２の裏面２ａの左右にそれぞれ取り付けられる。そして、このようにバンド部３の左右の取付部３Ａがグリップ部２の裏面２ａの左右に取り付けられた状態においては、図２に示すように、該バンド部３とグリップ部２の裏面２ａとの間には、手Ｈの甲の形状に倣ったカマボコ状の隙間（空間）Ｓが形成されている。
【００２５】
また、図１に示すように、グリップ部２の中心線ＣＬに対して手の差込方向後方（図１の下方）に所定量ε２だけオフセットした位置の外周（図１において中心線ＣＬに対してε２だけ下方にオフセットした水平線Ｌ２とグリップ部２の外周との交点）には、左右一対の半円状の切欠き２ｄがそれぞれ形成されている。
【００２６】
次に、以上のように構成された衛生グリップ１の使用方法を図４〜図６に基づいて以下に説明する。
【００２７】
図４〜図６は衛生グリップの使用手順を示す図であって、図４は衛生グリップ部のグリップ部とバンド部との間の隙間に手を差し込んだ状態を示す平面図、図５は同斜視図、図６は衛生グリップによって対象物を掴んでこれを把持した状態を示す斜視図である。
【００２８】
衛生グリップ１の使用に際しては、図４及び図５に示すように、ユーザーは、当該衛生グリップ１のグリップ部２とバンド部３との間に形成された隙間（空間）Ｓ（図２参照）に手Ｈを差し込む。そして、差し込んだ手Ｈの指を曲げてグリップ部２を図６に示すように折り曲げてつり革のリングなどの対象物１０を掴んでこれを把持する。このとき、前述のように、グリップ部２とバンド部３との間には手Ｈの甲の形状に倣ったカマボコ状の隙間（空間）Ｓが形成されているため、当該衛生グリップ１が手Ｈに馴染んで優しくフィットする。このため、当該衛生グリップ１に対するユーザーの使用感が頗る良好である。
【００２９】
以上のように、ユーザーが衛生グリップ１を用いて対象物１０（図６参照）を掴むことによって、ユーザーは、対象物１０に直接触れることなくこれを掴むことができるために衛生的であり、ユーザーが対象物１０を直接掴むことによる嫌悪感やストレスが解消される。
【００３０】
次に、使用後の衛生グリップ１の取り扱いについて図７〜図１０を参照しながら以下に説明する。
【００３１】
図７〜図１０は使用後の衛生グリップの取り扱い方法をその工程順に示す図であって、図７は衛生グリップの使用を終えてこれのグリップ部を折り畳む前の状態を示す斜視図、図８は衛生グリップの使用を終えてこれのグリップ部を折り畳んだ状態を示す斜視図、図９は衛生グリップの使用を終えて折り畳まれたグリップ部の切欠きにベルト部を掛けた状態を示す斜視図、図１０は衛生グリップの携帯時の状態を示す斜視図である。
【００３２】
衛生グリップ１の使用が終わると、ユーザーは、図７に示すように、手Ｈの親指ｈを衛生グリップ１のグリップ部２に掛けて該グリップ部２を内側に折り曲げてこれを図８に示すように折り畳んで重ねる。そして、この状態からユーザーは手Ｈの甲に掛けていたバンド部３を手Ｈから外し、図９に示すように、外されたバンド部３を折り畳まれたグリップ部２を跨いで該グリップ部２に形成された一対の切欠き２ｄに引っ掛ける。すると、衛生グリップ１は、図１０に示すように、グリップ部２の対象物１０を掴んだ表面２ｂ（図２参照）を内側にして折り畳まれた状態が維持され、この状態で当該衛生グリップ１を例えば鞄に収納してこれを持ち運ぶことができる。なお、本実施の形態に係る衛生グリップ１においては、バンド部３と切欠き２ｄは、グリップ部２の中心線ＣＬに対して手Ｈの差込方向に互いに逆方向(上下）にオフセットした位置に設けられているため、両者は所定の距離だけ離れた位置に配置される。この結果、衛生グリップ１の使用後に折り畳まれたグリップ部２の切欠き２ｄにバンド部３をこれを張った状態で掛けることができる。
【００３３】
以上のように、本実施の形態に係る衛生グリップ１は、片手Ｈで扱える程度に小さくて軽量な弾性体シートから成るグリップ部２と、該グリップ部２に設けられたベルト部３とによって構成されるため、携帯に便利であって、例えば、鞄などに嵩ばることなく収容してこれを気軽に持ち運ぶことができる。特に、本実施の形態に係る衛生グリップ１においては、グリップ部２が円形シートとして構成されているため、このグリップ部２をユーザーの手のひら内で扱うことができ、当該衛生グリップ１の小型・コンパクト化と取扱性の向上が図られる。
【００３４】
さらに、本実施の形態に係る衛生グリップ１においては、グリップ部２とバンド部３とをそれぞれ独立に別体として構成し、バンド部３の両端をリベット４によってグリップ部２に締結する構成を採用したため、グリップ部２とバンド部３をそれらの機能に適した材質、本実施の形態では、グリップ部２をウレタンフォーム、ベルト部３を軟質樹脂によって構成することができる。そして、これらのグリップ部２とベルト部３とを別々に製作することによって、当該衛生グリップ１の生産性を高めて製造コストを下げることもできる。
【００３５】
ところで、衛生グリップ１を再び使用する際には、図１０に示すようにコンパクトに折り畳まれた当該衛生グリップ１のグリップ部２の切欠き２ｄに掛けられているバンド部３を切欠き２ｄから外せば、グリップ部２は、自身が有する弾性復元力によって元の円板状シートへと復元するため、ユーザーは、図４〜図６に示す手順を経て当該衛星グリップ１によって対象物１０（図６参照）を衛生的に掴んでこれを把持することができる。
【００３６】
以上のように、本実施の形態によれば、衛生グリップ１を小型・軽量でコンパクトに構成したため、該衛生グリップ１を鞄などに収容して便利に持ち運ぶことができるとともに、対象物１０に直接手Ｈを触れることなく該対象物１０を掴んでこれを把持することができるために衛生的であり、ユーザーに嫌悪感やストレスを与えることがないという効果が得られる。
【００３７】
なお、以上の実施の形態では、衛生グリップ１を別体のグリップ部２とバンド部３とで構成し、バンド部３をリベット４によってグリップ部２に締結する構成を採用したが、グリップ部２とバンド部３とを一体に構成しても良い。
【００３８】
また、以上の実施の形態では、衛生グリップ１が掴む対象物１０としてつり革のリングを例に挙げて説明したが、衛生グリップ１が掴む対象物１０としては、例えば、ドアノブなどの他の任意のものを想定することができる。
【００３９】
さらに、以上の実施の形態において、グリップ部２とバンド部３にそれぞれ使用した材質は一例であって、それぞれの機能を満足するものであれば、これらのグリップ部２とバンド部３の材質には他の任意のものを選定することができる。
【００４０】
その他、本発明は、以上説明した実施の形態に適用が限定されるものではなく、特許請求の範囲及び明細書と図面に記載された技術的思想の範囲内で種々の変形が可能である。
【符号の説明】
【００４１】
１        衛生グリップ
２        グリップ部
２ａ      グリップ部の裏面
２ｂ      グリップ部の正面
２ｃ      グリップ部の円孔
２ｄ      グリップ部の切欠き
３        バンド部
３Ａ      バンド部の取付部
３ａ      バンド部の差込穴
４        リベット（締結具）
４ａ      リベットの頭部
１０      対象物
ＣＬ      グリップ部の中心線
Ｈ        ユーザーの手
Ｓ        グリップ部とバンド部との間の隙間（空間）
ε１      バンド部のオフセット量
ε２      切欠きのオフセット量
【要約】
【課題】小型・軽量で携帯に便利であって、対象物に直接手を触れることなく該対象物を掴んでこれを把持することができる衛生グリップを提供すること。
【解決手段】衛生グリップ１は、折り曲げ可能で弾性復元力を有する弾性体シートで構成されたグリップ部２と、該グリップ部２の一方の面２ａに設けられたアーチ状のバンド部３とを備え、グリップ部２とバンド部３との間に形成された隙間Ｓに手Ｈを差し込んでグリップ部２を折り曲げ、この折り曲げられたグリップ部２によって対象物１０を掴んでこれを把持するよう構成されている。ここで、グリップ部２の手Ｈの差込方向に直交する中心線ＣＬに対して手Ｈの差込方向前方にオフセットした位置にバンド部３が中心線ＣＬに沿って略平行に配置されている。また、グリップ部２の中心線ＣＬに対して手Ｈの差込方向後方にオフセットした位置の外周に切欠き２ｄが形成されている。
【選択図】図１【図１】
0006814497.tif 000002
【図２】
0006814497.tif 000003
【図３】
0006814497.tif 000004
【図４】
0006814497.tif 000005
【図５】
0006814497.tif 000006
【図６】
0006814497.tif 000007
【図７】
0006814497.tif 000008
【図８】
0006814497.tif 000009
【図９】
0006814497.tif 000010
【図１０】
0006814497.tif 000011